(57)【特許請求の範囲】
【請求項１】
芯（１４）と、  保護キャップ（１６）と、  該保護キャップ内の芯の整形のための整形手段（２５）と、  前記保護キャップ（１６）の端部に嵌入されるとともに、前記整形手段（２５）が、軸線方向に変位可能および／または動作可能に結合されているノブ（２３）とを備えたペンシルであって、  前記整形手段（２５）は、前記保護キャップが被せられているときに、前記芯に対して軸線方向へ変位可能であり、 前記整形手段（２５）は、芯削り器として機能するように内側に撓むよう構成された刃であることを特徴とするペンシル。
【請求項２】
前記整形手段が芯の先端を切断する刃であることを含むことを特徴とする請求項１記載のペンシル。
【請求項３】
前記整形手段（２５）をその待機位置に向かって付勢する弾性的復帰力を備えていることを特徴とする請求項１または２記載のペンシル。
【請求項４】
前記復帰力を生成させるために付勢された弾性的手段を備えていることを特徴とする請求項３記載のペンシル。
【請求項５】
前記弾性的復帰力を生成させるためのコイルスプリング（２８）を備えていることを特徴とする請求項３または４記載のペンシル。
【請求項６】
前記ノブ（２３）が前記整形手段（２５）を前記芯（１４）に対して軸線方向へ変位させるのと同時に、前記ノブ（２３）が前記整形手段（２５）を作動させることを特徴とする請求項１から５の何れか１項記載のペンシル。
【請求項７】
前記芯（１４）に対する前記整形手段（２５）の変位範囲を限定するための手段（３０）を備えていることを特徴とする請求項１から６の何れか１項記載のペンシル。
【請求項８】
前記整形手段（２５）が、少なくともその動作位置において外部から目に見えることを特徴とする請求項１から７の何れか１項記載のペンシル。
【請求項９】
前記保護キャップ（１６）が少なくとも部分的に透明であることを特徴とする請求項１から８の何れか１項記載のペンシル。
【請求項１０】
内部において前記芯（１４）が軸線方向に変位可能に保持されているカートリッジ（１０）を備えていることを特徴とする請求項１から９の何れか１項記載のペンシル。
【請求項１１】
前記カートリッジ（１０）に対して前記芯（１４）を変位させるための回転駆動機構を備えていることを特徴とする請求項１０記載のペンシル。
【発明の詳細な説明】
【技術分野】
【０００１】
本発明は、芯と、保護キャップと、この保護キャップ内の芯の整形手段とを備えたペンシルに関するものである。
【背景技術】
【０００２】
上述の種類のペンシルは、例えば特許文献１によって知られている。それによると、上記芯は軸線方向に、より具体にはスピンドル駆動により変位可能である。上記保護キャップが被せられるときに、上記芯が上記整形手段に達するまで前進せしめられる。さらなる前進運動において、上記芯は、さらなるスピンドル駆動動作を通じて軸線の周りで回転するのにつれて、上記整形手段によって尖らされる。この芯を尖らす動作はスピンドル駆動動作によって行なわれるので、上記芯の送りは一定に設定されている。すなわち、用いられるスピンドルのピッチに対応する。
【先行技術文献】
【特許文献】
【０００３】
【特許文献１】独国特許発明第１９６ １６ ６１３ Ｃ１号明細書
【発明の概要】
【発明が解決しようとする課題】
【０００４】
本発明の解決しようとする課題は、芯に対する整形手段の軸線方向の移動を個々に選択可能にすることである。
【課題を解決するための手段】
【０００５】
本発明によれば、上記キャップが被せられているときに、上記芯に対する上記整形手段の軸線方向への移動が可能であることによって、上記課題が解決される。
【０００６】
したがって、上記特許文献１に開示されたペンシルの場合のように、ペンシルの内部において整形手段に対して芯が変位されるのではなく、それとは反対に、芯に対して上記整形手段が変位されるのである。このことは、上記軸線方向の変位がスピンドル駆動動作に連繋されておらず、個々に選択可能であることを意味する。
【０００７】
本発明によれば、上記整形動作が芯の先端を尖らす動作および／または切断動作を含む。したがって、対応する工具は、例えば芯削り器を含む。しかしながら、例えば弾性的復元力に抗して旋回可能および／または変形可能な刃を用いることも可能である。この刃とともに案内テンプレートを用いることができる。
【０００８】
本発明の特に好ましい実施の形態によれば、上記整形手段が芯に対して常時当接しないようにするために、この整形手段をその待機位置に向かって付勢する弾性的復帰力を備えている。したがって、上記整形手段は、非動作状態においては上記芯から離れるように強制されている。
【０００９】
本発明によれば、上記復元力を発生させるように付勢された弾性的手段によって与えられる特に簡単な構成が好ましい。
【００１０】
そのために、例えばコイルスプリングを備えることができる。
【００１１】
本発明の特に好ましい実施の形態によれば、操作手段が上記整形手段を芯に対して軸線方向へ変位させるのと同時に上記整形手段を作動させる。したがって、上記整形手段は、上記操作手段を用いて、芯に向かって軸線方向へ変位され、同時に例えば回転によって作動される。この操作手段の二重機能は、芯を尖らす操作を簡単にする。
【００１２】
本発明によれば、上記保護キャップの端部を収容し、かつ上記整形手段が、軸線方向の変位のため、および／または動作のために結合されているスリーブを備えていることが好ましい。したがって、このスリーブが上述の操作手段を代表する。
【００１３】
本発明によれば、上記スリーブが、芯に対する上記整形手段の変位範囲を限定するための底部を備えていることが好ましい。このことは、上記整形手段が芯削り器である場合に、削り過ぎが回避されることを保証するものである。
【００１４】
本発明の特に好ましい実施の形態によれば、芯に対する上記整形手段の変位範囲を限定するための手段が提供される。この限定手段は、一方では削り過ぎを未然に防ぐことができる。しかしながら、上記定手段は、芯の整形に用いられる刃の過剰な変位を制限する機能をも備えることができる。
【００１５】
本発明によれば、上記整形手段が、少なくともその動作位置において外部から目に見えることが好ましい。これにより、芯を尖らす動作中において、芯の尖り具合を目で見ることができる。このことは、個々の要求に対して芯が十分に鋭利になったときに、芯を尖らす動作を終了させることができる。
【００１６】
特に、上記整形手段がその動作位置において外部から目に見えるようにすることは、本発明の好ましい特徴であるため、上記保護キャップは少なくとも部分的に透明である。このことは、上記保護キャップ内に配置された整形手段が外部から見えることを意味する。
【００１７】
このペンシルは、内部において芯が軸線方向に変位可能に保持されているカートリッジを備えることができる。これにより、芯を尖らす作業に先立って、および／または作業後に、例えばカートリッジから突出する芯の長さを調整することができる。
【００１８】
本発明によるさらなる好ましい態様においては、その点について、上記カートリッジに対して芯を変位させるための回転駆動機構が提供されている。
【００１９】
以下、添付図面を参照して、本発明の複数の好ましい実施の形態について詳細に説明する。
【図面の簡単な説明】
【００２０】
【図１】図１（ａ）〜（ｅ）は、本発明の一実施の形態によるペンシルの種々の動作状態を示す概略図である。
【図２】図２（ａ）および（ｂ）は、図１（ｃ）および（ｄ）の拡大断面図である。
【図３】図３（ａ）〜（ｄ）は、本発明の別の実施の形態の図１に類似した概略図である。
【図４】図４（ａ）および（ｂ）は、図３（ｃ）および（ｄ）の拡大断面図である。
【発明を実施するための形態】
【００２１】
図１および図２に示されているペンシルは、カートリッジ１０と、柄部１２と、芯１４と、保護キャップ１６とを備えている。芯削り器１８は保護キャップ１６内に保持されている。この芯削り器１８は、コイルスプリング２４の反発力を支える底部２２を備えたスリーブ２０を用いることによって、上記芯１４に対して軸線方向に変位可能である。
【００２２】
上記カートリッジ１０に対する芯１４の軸線方向の変位を生じさせるための回転駆動機構は、通常のペンシルが備えている機構であるため、図面には示されていない。この回転駆動機構は、カートリッジ１０に対する上記柄部１２の回転によって作動する。
【００２３】
上記保護キャップ１６は、例えば透明なプラスチック材料等の透明な材料によって形成されている。
【００２４】
図１（ａ）は、先が丸くなった芯を備えた芯を備えたペンシルを示す。回転駆動機構の動作によって、すなわち、カートリッジ１０に対する柄部１２の回転によって、図１（ｂ）に示すように、所定の長さの芯１４がカートリッジ１０の外に押し出される。この場合、芯１４の突出長さは自由に選択することができ、かつ上記回転駆動機構の適当な動作によって調節されることができる。
【００２５】
芯の先端を尖らすために、図１（ｃ）および図２（ａ）に示されているように、保護キャップ１６がカートリッジ１０上に被せられる。この保護キャップ１６は柄部１２上に保持される。この状態においては、コイルスプリング２４は付勢されていない。
【００２６】
実際に芯１４を尖らす動作は、スリーブ２０が、保護キャップ１６に対して、したがって芯１４に対して図の右方へ変位せしめられ、かつ芯削り器１８が芯１４に少なくとも接触したときに回転せしめられることによって行なわれる。図１（ｄ）および図２（ａ）は、底部２２が保護キャップ１６に当接しているために、スリーブ２０が、したがって芯削り器１８が、保護キャップ１６および芯１４に対して右方へ向かって最大に変位せしめられた動作状態にあるペンシルを示す。もし芯削り器１８がさらに変位可能であったならば、カートリッジ１０が削られてしまうであろう。上記動作状態においては、コイルスプリング２４が最大に付勢される。したがって、コイルスプリング２４は芯削り器１８を、図１（ｃ）および図２（ａ）に示す待機位置に向かって付勢している。
【００２７】
保護キャップ１６が透明なために、実際の芯削り動作中、芯削り器１８および芯１４は外から観察することができる。
【００２８】
図３および図４に示されている実施の形態は下記のように動作する。すなわち、
図３（ａ）には先が丸くなった芯１４を備えたペンシルが示されている。先ず、カートリッジ１０から突出する芯１４の長さが増すように回転駆動機構（不図示）を用いて芯が前進せしめられる。次に保護キャップ１６が被せられる。この状態が図３（ｂ）および図４（ａ）に示されている。
【００２９】
ノブ２３がその動作位置へ押し込まれると、刃２５が案内テンプレート２６に沿って摺動して芯１４を切断する。ノブ２３は、ストッパ３０が保護キャップ１６に当接して変位範囲を制限されるまで、コイルスプリング２８の弾発力に抗して軸線方向へ変位して芯１４を切断する。この状態が図３（ｃ）および図４（ｂ）に示されている。
【００３０】
その後、保護キャップ１６が取り外される。ペンシルは図４（ｄ）に示されている状態となり、この状態は、芯１４の先が切断によって尖らされていることのみが図３（ａ）と異なっている。
【００３１】
この第２の実施の形態においては、芯削り器として機能する刃２５も、芯１４とは無関係に軸線方向へ変位可能であることに再度注目すべきである。
【００３２】
図３（ｃ）および図４（ｂ）に示されているような刃２５の撓み動作が、その弾性的復元力に抗して行なわれたため、解放された後のスプリング２８によるノブ２３の復帰動作により、刃２５は、図３（ｂ）および図４（ａ）にそれぞれ示されている位置または形状に戻ると想定される。
【００３３】
上述の説明、請求項および図面において開示された本発明の特徴は、個々においても、組合せにおいても、本発明を種々の実施の形態において実施するために、基本的なものとすることができる。
【符号の説明】
【００３４】
１０  カートリッジ
１２  柄部
１４  芯
１６  保護キャップ
１８  芯削り器（整形手段）
２０  スリーブ（操作手段）
２２  スリーブの底部
２３  ノブ（操作手段）
２４，２８  コイルスプリング
２５  刃（整形手段）
２６  案内テンプレート
３０  ストッパ
【図１】
0005658193.tif 000002
【図２】
0005658193.tif 000003
【図３】
0005658193.tif 000004
【図４】
0005658193.tif 000005